(57)【特許請求の範囲】
【請求項１】
溶融ホットメルト接着剤供給装置から圧送されてくるホットメルト接着剤を受けて、計量のための歯車ポンプ（４）を介して、ホットメルト噴出モジュール（６）から噴出して、被塗物に間欠的にホットメルト接着剤を塗布する装置であって、前記ホットメルト噴出モジュール（６）を間欠的に開閉動作させる手段（１０，１２）を有しており、前記計量のための歯車ポンプ（４）とホットメルト噴出モジュール（６）との間に、ホットメルト接着剤を蓄圧するためのアキュームレータ（８）を設け、前記アキュームレータ（８）は十分な容量を有し、ホットメルト接着剤を蓄圧する蓄圧室（８ａ）と気体室（８ｂ）とがそれぞれ独立したシリンダー・ピストン構造から成り、気体室（８ｂ）には圧力調整弁（１６）で調圧された気体（１８）が供給され、蓄圧室（８ａ）と気体室（８ｂ）の圧力は常に所定の圧力でバランスするように構成されており、前記ホットメルト噴出モジュール（６）が閉の時には前記ホットメルト接着剤を前記アキュームレータ（８）に一時的に蓄圧するようにし、前記ホットメルト噴出モジュール（６）が開の時には前記アキュームレータ（８）に蓄圧されたホットメルト接着剤を前記ホットメルト噴出モジュール（６）から噴出させる構成としたことを特徴とする、ホットメルト接着剤の間欠塗布装置。
【発明の詳細な説明】
【０００１】
【産業上の利用分野】
本発明は、溶融したホットメルト接着剤を、被塗物に間欠的に塗布するためのホットメルト接着剤の間欠塗布装置に関するものである。
【０００２】
【従来の技術】
本発明者らが従来から実施していた、ホットメルト接着剤を被塗物に間欠的に塗布するための装置について、図２に基づいて説明する。すなわち図２は従来のホットメルト接着剤の間欠塗布装置を示す図である。図において、符号７１は各構成部分を一体的に構成して成る、ホットメルト接着剤の間欠塗布装置であり、該ホットメルト接着剤の間欠塗布装置７１は、フィルター７２、計量のための歯車ポンプ７４、ホットメルト接着剤８４を被塗物９０へ向けて噴出するホットメルト噴出モジュール７６及びホットメルトリターンモジュール７８等を、一体的に構成したものである。そして、ホットメルト噴出モジュール７６とホットメルトリターンモジュール７８は、電磁弁８０によって制御される操作エア８２によって開閉操作が行われる。また８８は被塗物９０を連続的に移動させるためのコンベア装置を示したものである。
【０００３】
このように構成された従来のホットメルト接着剤の間欠塗布装置７１は、図示されていない公知の、溶融ホットメルト接着剤供給装置、例えば特開昭５８−６１８６３号で知られるような装置によって、圧送されてくるホットメルト接着剤８４を、ホットメルト供給口８６から受け入れる。そしてホットメルト接着剤８４は、フィルター７２で異物などが取り除かれ、通路９２を通って計量のための歯車ポンプ７４へと進む。歯車ポンプ７４で計量されたホットメルト接着剤８４は、更に歯車ポンプ７４の下流で２つに分岐した通路９２を通り、一方はホットメルト噴出モジュール７６に、もう一方はホットメルトリターンモジュール７８へと流れる。
【０００４】
ホットメルト噴出モジュール７６とホットメルトリターンモジュール７８は、電磁弁８０によって制御される操作エア８２によって、同期して開閉操作が行われる。すなわちホットメルト噴出モジュール７６が開の時には、ホットメルトリターンモジュール７８は閉となり、ホットメルト接着剤８４はホットメルト噴出モジュール７６から、被塗物９０へ向けて噴出し塗布される。
【０００５】
またホットメルト噴出モジュール７６が閉の時には、ホットメルトリターンモジュウル７８が開となり、ホットメルト接着剤８４はホットメルトリターン口９２からホース等の管路を介して、前記した図外の溶融ホットメルト接着剤供給装置へと戻される。
【０００６】
ホットメルト噴出モジュール７６とホットメルトリターンモジュール７８の開閉動作は、図３に示すように、ホットメルト噴出モジュール７６が開の時にはホットメルトリターンモジュール７８が閉となり、またホットメルト噴出モジュール７６が閉の時にはホットメルトリターンモジュール７８が開となり、その開閉動作は同期して行われる。
【０００７】
これで理解されるように、ホットメルトリターンモジュール７８の役割は、ホットメルト接着剤を間欠的に塗布するに当り、ホットメルト噴出モジュール７６が閉の状態の時に、歯車ポンプ７４とホットメルト噴出モジュール７６との間においてホットメルト接着剤の圧力が上昇し、ホットメルト接着剤の噴出量が変動するのを防止するためのもので、ホットメルト接着剤８４をホットメルトリターンモジュウル７８から、図示されない溶融ホットメルト接着剤供給装置へ戻すことにより、ホットメルト接着剤の圧力を常に一定の圧力に維持して定量安定性を高めるためのものである。
【０００８】
【発明が解決しようとする課題】
上記の従来の技術であるホツトメルト接着剤の間欠的塗布装置には、次のような問題があった。すなわち、ホットメルト噴出モジュール７６が閉の時にはホットメルトリターンモジュール７８が開となり、ホットメルト接着剤８４はホットメルトリターン口９２から、前記した図外の溶融ホットメルト接着剤供給装置へと戻されて循環されることになる。これはポンプ効率の点から見れば効率が悪く不経済であると共に、またこれにより一部のホットメルト接着剤は溶融のため熱履歴を繰り返し受けることになる。また溶融ホットメルト接着剤供給装置のポンプ機構や計量のための歯車ポンプ７４等では剪断作用を繰り返し受けることになるので、接着剤が劣化を起こし、接着性能を低下させることがある。
【０００９】
接着剤の劣化が著しく進むと、炭化物となって固形状態の塊状となって溶融接着剤中に存在し、これがフィルター７２の目詰まりを早めたり、ポンプ効率を不安定なものとしたり、またホットメルト噴出モジュール７６の噴出孔の目詰まりを起こすなどの問題も生じていた。さらにリターンのために、ホットメルトリターン口９２から図外の溶融ホットメルト接着剤供給装置までは、ホース等の管路を必要とするが、このホツトメルト接着剤の間欠的塗布装置は他の設備等と協同して設置されるため、制限された狭い場所に配置される場合が多く、リターン管路の構成が困難であったり複雑となり、保守の点からも改善が望まれていた。
【００１０】
本発明は、このような問題点に鑑みてなされたものであり、本発明の目的は、複雑なリターン管路を無くし、ホットメルト接着剤の循環を避けてポンプ効率を上げ、また熱履歴等を繰り返し受けることを無くして接着剤の劣化を防止し、保守が容易で、しかも定量安定性の高い、ホットメルト接着剤の間欠塗布装置を提供することを目的とするものである。
【００１１】
【課題を解決するための手段】
本発明は、上記の目的を達成するために次のような構成とした。なお（ ）を付して表示した符号は、理解を助けるために後述する実施例の符号を表示した。すなわち、溶融ホットメルト接着剤供給装置から圧送されてくるホットメルト接着剤を受けて、計量のための歯車ポンプ（４）を介して、ホットメルト噴出モジュール（６）から噴出して、被塗物に間欠的にホットメルト接着剤を塗布する装置であって、前記ホットメルト噴出モジュール（６）を間欠的に開閉動作させる手段（１０，１２）を有しており、前記計量のための歯車ポンプ（４）とホットメルト噴出モジュール（６）との間に、ホットメルト接着剤を蓄圧するためのアキュームレータ（８）を設け、前記アキュームレータ（８）は十分な容量を有し、ホットメルト接着剤を蓄圧する蓄圧室（８ａ）と気体室（８ｂ）とがそれぞれ独立したシリンダー・ピストン構造から成り、気体室（８ｂ）には圧力調整弁（１６）で調圧された気体（１８）が供給され、蓄圧室（８ａ）と気体室（８ｂ）の圧力は常に所定の圧力でバランスするように構成されており、前記ホットメルト噴出モジュール（６）が閉の時には前記ホットメルト接着剤を前記アキュームレータ（８）に一時的に蓄圧するようにし、前記ホットメルト噴出モジュール（６）が開の時には前記アキュームレータ（８）に蓄圧されたホットメルト接着剤を前記ホットメルト噴出モジュール（６）から噴出させる構成としたことを特徴とする、ホットメルト接着剤の間欠塗布装置とした。
【００１２】
【作用】
次に本発明の作用について説明する。本発明では、前記したような構成のホットメルト接着剤の間欠塗布装置としたので、図示されない溶融ホットメルト接着剤供給装置から圧送されてくるホットメルト接着剤は、計量のための歯車ポンプ（４）で計量された後、ホットメルト噴出モジュール（６）の間欠的開閉動作により、ホットメルト噴出モジュール（６）から噴出して、被塗物に塗布される。そしてホットメルト噴出モジュール（６）が閉の時には、計量のための歯車ポンプ（４）で計量されたホットメルト接着剤は、ホットメルト接着剤を一時的に蓄圧するアキュームレータ（８）に蓄圧される。そしてホットメルト噴出モジュールが再び開いたときに、アキュームレータ（８）に蓄圧されたホットメルト接着剤は、ホットメルト噴出モジュール（６）から噴出される。
【００１３】
従って、従来のホツトメルト接着剤の間欠的塗布装置に設けられていた、ホットメルトリターンモジュールや、ホットメルト接着剤の一部を溶融ホットメルト接着剤供給装置へ戻すための管路も不要となり、さらにホットメルト接着剤の一部を循環される必要も無くなった。しかも、ホットメルト接着剤を蓄圧するアキュームレータの作用によって、ホットメルト噴出モジュールから噴出するホットメルト接着剤の、定量安定性は十分に確保される。
【００１４】
【実施例】
以下本発明によるホットメルト接着剤の間欠塗布装置の実施例を示す図面を用いて詳細に説明する。図１は本発明によるホットメルト接着剤の間欠塗布装置
を示す図である。図において符号１は各構成部分を一体化させて成るホットメルト接着剤の間欠塗布装置であり、該ホットメルト接着剤の間欠塗布装置１は、フィルター２、計量のための歯車ポンプ４、ホットメルト接着剤１４を被塗物２０へ向けて噴出するホットメルト噴出モジュール６、及びホットメルト接着剤１４を蓄圧するためのアキュームレータ８等を、一体的に構成されれたものである。そして、ホットメルト噴出モジュール６は、電磁弁１０によって制御される操作エア１２によって開閉操作が行われる。
【００１５】
またアキュームレータ８は、ホットメルト接着剤を蓄圧する蓄圧室８ａと気体室８ｂとがそれぞれ独立したシリンダー・ピストン構造から成り、気体室８ｂには圧力調整弁１６で調圧された気体１８が供給され、蓄圧室８ａと気体室８ｂの圧力は常に所定の圧力でバランスするように構成されている。また２２は被塗物２０を連続的に移動させるためのコンベアを示したものである。
【００１６】
このように構成されたホットメルト接着剤の間欠塗布装置１は、図示されていない公知の溶融ホットメルト接着剤供給装置、例えば特開昭５８−６１８６３号で知られるような装置によって、圧送されてくるホットメルト接着剤１４を、ホットメルト供給口２４から受け入れる。そしてホットメルト接着剤１４は、フィルター２で異物などが取り除かれ、通路２６を通って計量のための歯車ポンプ４へと進む。歯車ポンプ４で計量されたホットメルト接着剤１４は、電磁弁１０によって制御される操作エア１２によって作動するホットメルト噴出モジュール６の間欠的な開閉動作により、ホットメルト噴出モジュール６から噴出して被塗物２０に塗布される。そして、ホットメルト噴出モジュール６が閉状態の時には、ホットメルト接着剤１４は歯車ポンプ４とホットメルト噴出モジュール６との間に設けた、アキュームレータ８の蓄圧室８ａに一時的に蓄圧される。そしてホットメルト噴出モジュールが再び開いたときに、アキュームレータ８の蓄圧室８ａに蓄圧されたホットメルト接着剤は、ホットメルト噴出モジュール６から噴出される。
【００１７】
従って、従来のホットメルト接着剤の間欠塗布装置に設けられていた、ホットメルトリターンモジュールや、ホットメルト接着剤の一部を、図示されない溶融ホットメルト接着剤供給装置へ戻すためのホース等の管路も不要となり、一部ホットメルトの循環による劣化が無くなり、また保守の点でも大きく改善された。またアキュームレータ８は、十分な容量とホットメルト接着剤のように高粘度物質を蓄圧するには最も適した構造、すなわちホットメルト接着剤を蓄圧する蓄圧室８ａと気体室８ｂとがそれぞれ独立したシリンダー・ピストン構造から成り、気体室８ｂには圧力調整弁１６で調圧された気体１８が供給され、蓄圧室８ａと気体室８ｂの圧力は常に所定の圧力でバランスするように構成されているので、ホットメルト噴出モジュール６が間欠的に開閉動作を繰り返しても、ホットメルト接着剤の圧力は安定しており、従って噴出量の定量安定性も確保される。
【００１８】
【発明の効果】
本発明のホットメルト接着剤の間欠塗布装置は、以上詳述したような構成としたので、複雑なリターン回路も不要であり、保守が容易で、リターン回路が不要になった分スペース的にも改善され、またホットメルト接着剤の循環を無くしてポンプ効率を向上し、またホットメルト接着剤が繰り返し熱履歴等を受けることも無いので接着剤の劣化を防止し、しかも定量安定性の高い、ホットメルト接着剤の間欠塗布装置を提供することができる。
【図面の簡単な説明】
【図１】本発明によるホットメルト接着剤の間欠塗布装置の実施例を示めす図。
【図２】従来のホットメルト接着剤の間欠塗布装置を示す図。
【図３】従来のホットメルト接着剤の間欠塗布装置の動作を示めす図。
【符号の説明】
１…ホットメルト接着剤の間欠塗布装置    ４…歯車ポンプ
６…ホットメルト噴出モジュール          ８…アキュームレータ
【図１】
0003630177.tif 000002
【図２】
0003630177.tif 000003
【図３】
0003630177.tif 000004